(57)【特許請求の範囲】
【請求項１】
ワークの両側面を把持する一対の口金を互いに近接離隔する一対の顎に取り付けて当該一対の顎の近接動作により前記一対の口金でワークを把持するワークバイスにおいて、
前記口金が、上端の水平上面とその直下の傾斜下面との交線部分にワーク側を向くエッジを備え、この口金のワーク側の面又は当該口金が取り付けられた顎のワーク側の面に下端をバイスの基台に当接して添設される受板を備え、当該受板の上端が、前記エッジの下方に当該エッジよりワーク側に延びる水平な受端面を形成しており、当該受端面に直交する方向の前記エッジと受端面との間隔が把持されるワークの把持側面の厚さより狭くかつ当該厚さの半分より広いことを特徴とする、ワークバイス。
【請求項２】
前記口金が、前記エッジに所定間隔で複数の凹部を備えている、請求項１記載のワークバイス。
【発明の詳細な説明】
【技術分野】
【０００１】
この発明は、工作機械のテーブルなどに装着してワーク（被加工物）を固定するのに用いるワークバイス（以下、単に「バイス」と言う。）に関するもので、把持するワークと当接する部分に特徴があるバイス及び当該バイスに用いる口金に関するものである。
【背景技術】
【０００２】
工作機械でワークを加工する際に工作機械のテーブルにワークを固定する装置としてバイスが広く利用されている。バイスは、送りねじや油圧シリンダなどの駆動装置によって互いに近接離隔する方向に動作する一対の顎（ジョー）を備えている。通常、顎には硬い金属でできた平板状の口金（硬口金）やワークの形状に合わせた把持面を備えた口金（生口金）を顎に取り付けて当該口金でワークの対向側面を把持して固定する。
【０００３】
バイスで把持される両側面（以下、「把持側面」と言う。）が平行な平面に加工されているワークであれば、硬口金を取り付けたバイスでワークをしっかりと把持することができる。把持側面が平行平面でなくても、把持側面がある程度の面積を有していれば、生口金を取り付けたバイスでワークを把持することができる。しかし、薄板などのワークの大きさに比べて把持側面の面積の小さいワークは、把持が不安定になり、重加工が困難である。ワークが薄板でなくてもその対向両側の口金で把持される部分が板状になっているワークも同様である。
【０００４】
また、ワークをバイスで固定するときの問題として、バイスで把持したときにワークが浮き上がることがあるという問題がある。この問題は、下記特許文献にも示されているように、ワークからの把持反力で口金が下方に、すなわちバイスの基台側に微小移動する構造の口金を用いることによって防止することができるが、このような口金は、単純な板材で形成される硬口金に比べて構造が複雑になる。
【先行技術文献】
【特許文献】
【０００５】
【特許文献１】国際公開第２００３／８２５１６号パンフレット
【特許文献２】特開２００５−４０８９７号公報
【発明の概要】
【発明が解決しようとする課題】
【０００６】
この発明は、薄い板状のワークや、ワークのバイスで把持される部分が薄い板状となっている、例えばハット形などのワークを強固にかつ安定に固定できるバイスを得ることを課題としている。更に、バイスで把持される部分に黒皮（鋳造や鍛造されたままの表面）が残っている上記形状のワークであっても、強固にかつ安定に固定することができるバイスを得ることを課題としている。
【課題を解決するための手段】
【０００７】
この発明のバイスは、顎２（２ａ、２ｂ、２ｃ）のワーク６を把持する部分に口金４と受板５とが取り付けられている。１個のワーク６の対向側面を把持する一対の口金４と受板５との組は、従来のバイスと同様に、互いに近接離隔する一対の顎２、２に取り付けて当該一対の顎２、２の近接動作によりワーク６を把持する。
【０００８】
口金４は、バイスを水平なベッド上に置いたときの上端に水平上面４２とその直下の傾斜下面４３とを備え、この水平上面と傾斜下面の交線部分にワーク側を向くエッジ４１が形成されている。受板５は、この口金４又はバイスの顎２のワーク側を向く面に添設され、その上端面が口金のエッジ４１の下方に当該エッジよりワーク側に延びる水平な受端面５１を形成している。
【０００９】
把持側面６１が黒皮であるワークを把持するのに特に好適なこの発明のバイスは、口金のエッジ４１に所定間隔で複数の凹部４６を備え、ワークの把持側面が間隔を隔てて一線上に並んでいる複数の短いエッジで把持されるようにしたバイスである。
【００１０】
口金４と受板５とは、把持するワーク６を受板の受端面５１に置いたときに口金のエッジ４１がワークの把持側面６１の上半部すなわち反受端面側に当接する位置関係で顎２に固定される。この発明のバイスは、把持側面６１の厚さが１ｍｍ程度であってもワークを強固かつ安定に固定することができ、把持側面６１の厚さが１ｍｍのワークであれば、口金のエッジ４１と受板の受端面５１の間隔が０．７〜０．８ｍｍとなるように口金４と受板５とを顎２に取り付ける。
【００１１】
この発明のバイスでワーク６を固定するときは、ワークを対向する受板の受端面５１に架け渡すように載せて可動顎２ｂを締める。これによりワーク６は対向するエッジ４１で把持されて固定される。
【００１２】
このとき、受端面５１によるワークの支持力との関係で、エッジ４１から作用する水平方向の把持力Ｆは、ワークの両把持側面部においてワーク全体を基台１側に押す方向のモーメントを生じさせる。このため、ワークはエッジ４１で把持されると共に、受端面５１に押し付けられ、浮き上がりが阻止された状態で固定される。
【００１３】
そしてワークの把持側面６１が線状のエッジ４１で把持され、エッジの傾斜下面４３が把持側面６１を押し下げる力を生じさせるので、把持側面の狭い薄板状のワークであっても、ワークが受端面５１に押し付けられた状態で強固かつ安定に固定することができる。
【００１４】
エッジ４１に複数の凹部４６を設けて複数の短いエッジでワークを把持するものでは、エッジ４１の把持側面６１への食い付き力が大きくなるので、把持側面６１が黒皮のワークであっても強固かつ安定に保持できる。
【発明の効果】
【００１５】
この発明により、簡単な構造で薄いワークを強固かつ安定に固定できるバイスが得られる。この発明のバイスによれば、厚さが１〜１．５ｍｍの薄い板状のワークも固定することができる。
【００１６】
更に、エッジに複数の凹部を設けてワークに間欠的に当接するエッジとすることで、ワークに対するエッジの食い付き力が増し、黒皮のワークでも強固に固定することができ、荒削り時の重切削に耐えるワークの固定が可能である。
【００１７】
そして、エッジの把持力により生ずるモーメントやエッジの傾斜下面の作用により、ワークの浮き上がりも防止することができる。
【図面の簡単な説明】
【００１８】
【図１】この発明の一実施例を示す側面図
【図２】同平面図
【図３】ワークを把持している部分の拡大側面図
【発明を実施するための形態】
【００１９】
以下、実施例を示す添付図面を参照して、この発明のバイスを具体的に説明する。図示のバイスは、基台１に固定された固定顎２ａと、基台１に設けたガイド３に沿って固定顎２ａに近接離隔する方向に摺動自在に装着された可動顎２ｂと、前記ガイド３に沿って摺動自在にして固定顎２ａと可動顎２ｂとの間に装着された中間顎２ｃとを備えている。基台１内には、可動顎２ｂを固定顎２ａに向けて近接離隔させる送りねじや油圧シリンダなどの駆動装置が設けられているが、図には示されていない。
【００２０】
固定顎２ａと可動顎２ｂとの間に中間顎２ｃを設けたバイスは、可動顎２ｂの一動作で固定顎２ａと中間顎２ｃとの間、隣接する中間顎２ｃ相互の間及び中間顎２ｃと可動顎２ｂとの間でそれぞれワークを固定することができ、中間顎の数＋１個の数のワーク６を可動顎２ｂの一動作で同時に把持して加工を行うことができる。
【００２１】
各顎２（単に顎と言うときは、固定顎、可動顎及び中間顎の全てを意味する。）の互いに対向する面には、口金４と受板５との組がそれぞれ取り付けられている。ワーク側から見た口金４及び受板５の形状は、顎２と幅寸法が等しい矩形である。
【００２２】
口金４の上端には、ワーク側に向くエッジ４１が形成されている。このエッジ４１は、口金４の上端の水平上面４２と、その直下の傾斜角４５度の傾斜下面４３との交線部分に形成されている。傾斜下面４３の直下の口金４のワーク側を向く面には、側面視で顎側に凹んだ凹所４４が設けられている。
【００２３】
図の例では、各顎２の互いに対向する面は、口金４が装着されている上側面２１がそれより下方の下側面２２より顎２側に凹んでおり、受板５は、それぞれの顎の下側面２２に固定されており、口金４のワーク側を向く面と受板５との間には隙間がある。しかし、顎２の互いに対向する面を一平面として、受板５を口金４の凹所４４より下方の面４５に密着させて取り付けてもよい。
【００２４】
受板５の上端の受端面５１は、エッジ４１よりワーク６側に延びており、この延びている部分にワーク６の把持側面側の下面が載置されてワークが支持されている。受板５は、受端面５１上にワーク６を載置したときに、口金のエッジ４１がバイスで把持されるワークの把持側面６１の上半部に位置するように、受端面５１の高さを設定して取り付けられている。
【００２５】
図の口金のエッジ４１は、図２の平面図に示すように、所定間隔で複数の凹部４６が設けられており、間欠的にワークの把持側面６１に当接するようになっている。このようにワークに当接するエッジ４１に繰り返し凹部４６を設けてエッジ４１が間欠的にワークに当接する構造は、ワークの把持側面６１が黒皮であるときに、そのワークを安定に保持するのに有効である。
【００２６】
この発明のバイスでワーク６を把持したとき、把持側面６１の狭いワークであっても、口金のエッジ４１がワークの把持側面に食い込むように作用して、口金との間でワークが滑るのを防止するから、ワーク６を強固かつ安定に固定することができ、ワーク６に対する重切削が可能になる。また、エッジ４１からワーク６に作用する把持力Ｆが受板の受端面５１で支持されているワークの端部に下向き方向のモーメントを生じさせるので、エッジ４１の傾斜下面４３と相俟ってワーク６を受端面５１側に押し付ける力が発生し、受端面５１からのワーク６の浮き上がりを防止することができる。
【符号の説明】
【００２７】
１  基台
２（２ａ、２ｂ、２ｃ）  顎
４  口金
５  受板
６  ワーク
４１  エッジ
４２  水平上面
４３  傾斜下面
４６  凹部
５１  受端面
６１  把持側面
Ｆ  水平方向の把持力
【図１】
0005898663.tif 000002
【図２】
0005898663.tif 000003
【図３】
0005898663.tif 000004